(57)【要約】【課題】コントラストの低下を防止することができる画像表示装置および画像表示方法を提供すること。【解決手段】この画像表示方法は、全ての画素について、黒粒子１０Ａを表面基板３側に移動させるとともに、白色粒子１０Ｂを背面基板４側に移動させる第１のステップと、画像データに基づいて、白画像を表示すべき画素のみについて、黒色粒子１０Ａを背面基板４側に移動させるとともに、白色粒子１０Ｂを表面基板３側に移動させる第２のステップとを含む。【選択図】図２
2007279326.tif 000002
【特許請求の範囲】
【請求項１】
第１の電極を備えた透光性を有する第１の基板と、
前記第１の基板と所定の間隔を設けて対向配置され、第２の電極を備えた第２の基板と、
前記第１及び第２の基板間に封入され、第１の極性に帯電するとともに、第１の色を有する第１の粒子、及び前記第１の極性と反対の第２の極性に帯電するとともに、第２の色を有する第２の粒子からなる粒子群と、
前記第１及び第２の電極間に電圧を印加する電圧印加部と、
全画素について、前記第１及び第２の電極間に所定の電圧を印加して前記第１の基板側に前記第１または第２の粒子を移動させて前記第１または第２の色からなる全面同一色の画像を表示するように前記電圧印加部を制御する第１の表示モードと、画像データに基づいて前記全面同一色と異なる色の画像を表示すべき画素のみについて、前記第１の電極に画像電圧を印加して前記第１の基板側に前記第２または第１の粒子を移動させるように前記電圧印加部を制御する第２の表示モードを有する制御部とを備えたことを特徴とする画像表示装置。
【請求項２】
前記全面同一色は、前記第１および第２の色のうち明度が低い方の色であることを特徴とする請求項１に記載の画像表示装置。
【請求項３】
前記第１の電極は、画像電圧が印加される複数のデータ電極であり、
前記第２の電極は、前記複数のデータ電極に直交し、選択電圧が印加される複数の走査電極であり、
前記制御部は、前記第２の表示モードにおいて、前記全面同一色と異なる色の画像を表示すべき画素については、前記走査電極に前記選択電圧を印加するとともに、前記データ電極に画像電圧を印加し、前記全面同一色と同一の色の画像を表示すべき画素については、前記走査電極に前記選択電圧を印加するとともに、前記データ電極に前記選択電圧と同電位の電圧を印加するように前記電圧印加部を制御することを特徴とする請求項１に記載の画像表示装置。
【請求項４】
前記第２の基板は、少なくとも前記データ電極間と前記走査電極間とが交差する領域に対応する部分が前記全面同一色と同一の色を有することを特徴とする請求項３に記載の画像表示装置。
【請求項５】
前記第２の基板は、少なくとも前記データ電極間に対応する部分が前記全面同一色と同一の色を有することを特徴とする請求項３に記載の画像表示装置。
【請求項６】
前記第２の基板は、前記全面同一色と同一の色を全体的に有することを特徴とする請求項１に記載の画像表示装置。
【請求項７】
前記走査電極は、前記データ電極間に対応する領域の幅が他の部分よりも細いことを特徴とする請求項４、５又は６に記載の画像表示装置。
【請求項８】
第１の電極を備えた透光性を有する第１の基板と、前記第１の基板と所定の間隔を設けて対向配置され、第２の電極を備えた第２の基板と、前記第１及び第２の基板間に封入され、第１の極性に帯電するとともに、第１の色を有する第１の粒子、及び前記第１の極性と反対の第２の極性に帯電するとともに、第２の色を有する第２の粒子からなる粒子群とを備えた画像表示装置において、
全画素について、前記第１及び第２の電極間に所定の電圧を印加して前記第１の基板が側に前記第１または第２の粒子を移動させて前記第１または第２の色からなる全面同一色の画像を表示する第１のステップと、
画像データに基づいて前記全面同一色と異なる色の画像を表示すべき画素のみについて、前記第１の電極に画像電圧を印加して前記第１の基板側に前記第２または第１の粒子を移動させる第２のステップとを含むことを特徴とする画像表示方法。
【発明の詳細な説明】
【技術分野】
【０００１】
本発明は、色の異なる２種類の混合粒子を電極間に封入して電極間に電圧を印加することにより粒子を移動させて画像を表示する画像表示装置および画像表示方法に関する。
【背景技術】
【０００２】
色の異なる２種類の混合粒子を電極間に封入して電極間に電圧を印加することにより粒子を移動させて画像を表示する従来の画像表示装置として、例えば、単純マトリックス駆動により帯電着色粒子を電極間で移動させて画像を表示する技術がある（例えば、特許文献１参照）。
【０００３】
この画像表示装置は、複数のデータ電極を備えた透光性を有する表面基板と、表面基板と所定の間隔を設けて対向配置され、複数の走査電極を備えた背面基板と、両基板間に封入され、帯電特性が異なる黒色粒子及び白色粒子からなる粒子群と、両電極間に画像データに応じた電圧を印加して粒子群を両基板間で移動させて画像を表示する電圧印加部とを備える。この構成により、画像を繰り返し書き換えが可能となる。
【特許文献１】特開２００１−３１２２２５号公報（００１０段落）
【発明の開示】
【発明が解決しようとする課題】
【０００４】
しかし、上記のような従来の画像表示装置の電圧印加方法では、隣接電極間で保持される粒子密度は低く、背面基板側に保持された粒子が透けてしまい、コントラストが低下してしまうという問題がある。
【０００５】
図７は、その問題点を説明するための電圧印加方法の一例を示し、（ａ）は全面黒画像の表示状態を示す断面図、（ｂ）は白黒画像の表示状態を示す断面図、（ｃ）は平面図である。
【０００６】
この画像表示媒体２は、表面支持基板３０、列電極３１（３１Ａ〜３１Ｃ）および誘電体膜３２からなる透光性を有する表面基板３と、背面支持基板４０、行電極４１（４１Ａ〜４１Ｃ）および誘電体膜４２からなる背面基板４と、表面基板３に背面基板４を対向させて保持するとともに、両基板３、４間の空間を区画して複数のセル９を形成するリブ８と、セル９に封入された帯電特性が異なる黒色粒子１０Ａおよび白色粒子１０Ｂからなる粒子群と、電極３１、４１間に電圧を印加する図示しない電圧印加部とを備える。
【０００７】
初期化により電極３１、４１間に交番電圧を印加すると、粒子１０Ａ、１０Ｂが基板３、４間を往復運動し、黒色粒子１０Ａと白色粒子１０Ｂが相互に摩擦して安定した帯電特性が得られる。
【０００８】
交番電圧の最終パルスとして、図７（ａ）に示すように、行電極４１に選択電圧（例えば、０Ｖ）を印加するとともに、各列電極３１Ａ〜３１Ｃに負の画像電圧（例えば、−１００Ｖ）を印加すると、正に帯電した黒色粒子１０Ａは、負の電圧が印加された列電極３１側に移動して表面基板３の内面に付着し、負に帯電した白色粒子１０Ｂは、選択電圧（例えば、０Ｖ）が印加された行電極４１側に移動して背面基板４の内面に付着し、全面黒画像が表面基板３を通して表示される。
【０００９】
例えば、図７（ｂ）に示すように、行電極４１に選択電圧（例えば、０Ｖ）を印加するとともに、画像データに基づいて両側の列電極３１Ａ、３１Ｃに負の画像電圧（例えば、−１４０Ｖ）を印加し、中央の列電極３１Ｂに正の画像電圧（例えば、＋１４０Ｖ）を印加すると、中央の列電極３１Ｂと行電極４１とが交差する領域（画素）では、中央の列電極３１Ｂ側に位置する黒色粒子１０Ａは行電極４１側に移動し、行電極４１側に位置する白色粒子１０Ｂは列電極３１Ａ側に移動する。
【００１０】
しかし、中央の列電極３１Ｂと両側の列電極３１Ａ、３１Ｃとの間に、中央の列電極３１Ｂと行電極４１との間の電位差（１４０Ｖ）よりも大きな電位差（２８０Ｖ）が生じ、隣接する列電極３１Ａ〜３１Ｃ間に位置していた黒色粒子１０Ａが両側の列電極３１Ａ、３１Ｃ側に引き寄せられ、表面基板３の内面の列電極３１Ａ〜３１Ｃ間に粒子が存在しなくなり、図７（ｃ）に示すように、列電極３１Ａ〜３１Ｃ間が透けて背面基板４の内面に位置する白色粒子１０Ｂが見えてしまい、コントラストの低下を招いている。
【００１１】
したがって、本発明の目的は、コントラストの低下を防止することができる画像表示装置および画像表示方法を提供することにある。
【課題を解決するための手段】
【００１２】
上記目的を達成するため、本発明の一態様は、以下の画像表示装置および画像表示方法を提供する。
【００１３】
［１］第１の電極を備えた透光性を有する第１の基板と、前記第１の基板と所定の間隔を設けて対向配置され、第２の電極を備えた第２の基板と、前記第１及び第２の基板間に封入され、第１の極性に帯電するとともに、第１の色を有する第１の粒子、及び前記第１の極性と反対の第２の極性に帯電するとともに、第２の色を有する第２の粒子からなる粒子群と、前記第１及び第２の電極間に電圧を印加する電圧印加部と、全画素について、前記第１及び第２の電極間に所定の電圧を印加して前記第１の基板側に前記第１または第２の粒子を移動させて前記第１または第２の色からなる全面同一色の画像を表示するように前記電圧印加部を制御する第１の表示モードと、画像データに基づいて前記全面同一色と異なる色の画像を表示すべき画素のみについて、前記第１の電極に画像電圧を印加して前記第１の基板側に前記第２または第１の粒子を移動させるように前記電圧印加部を制御する第２の表示モードを有する制御部とを備えたことを特徴とする画像表示装置。
【００１４】
上記構成の画像表示装置によれば、第１の表示モードで全面同一色の画像を表示した後、第２の表示モードで全面同一色と異なる色の画像を表示すべき画素のみについて、第１の電極に画像電圧を印加することにより、第１の電極間の電位差が小さくなるので、第１の電極間に位置する粒子の移動が減り、第１の電極間の粒子密度の低下を防ぐことができる。
【００１５】
［２］前記全面同一色は、前記第１および第２の色のうち明度が低い方の色であることを特徴とする前記［１］に記載の画像表示装置。この構成によれば、第１の電極間に位置する粒子が明度が低い方の粒子となり、透け難くなる。
【００１６】
［３］前記第１の電極は、画像電圧が印加される複数のデータ電極であり、前記第２の電極は、前記複数のデータ電極に直交し、選択電圧が印加される複数の走査電極であり、前記制御部は、前記第２の表示モードにおいて、前記全面同一色と異なる色の画像を表示すべき画素については、前記走査電極に前記選択電圧を印加するとともに、前記データ電極に画像電圧を印加し、前記全面同一色と同一の色の画像を表示すべき画素については、前記走査電極に前記選択電圧を印加するとともに、前記データ電極に前記選択電圧と同電位の電圧を印加するように前記電圧印加部を制御することを特徴とする前記［１］に記載の画像表示装置。この構成によれば、単純マトリックス駆動（パッシブ・マトリックス駆動）において、データ電極間の粒子密度の低下を防ぐことができる。
【００１７】
［４］前記第２の基板は、少なくとも前記データ電極間と前記走査電極間とが交差する領域に対応する部分が前記全面同一色と同一の色を有することを特徴とする前記［３］に記載の画像表示装置。この構成によれば、データ電極間と走査電極間とが交差する領域が最も粒子密度が低下する可能性が高いが、その領域に対応する第２の基板の部分が第１の表示モードの表示色と同一色であるので、データ電極間と走査電極間とが交差する領域で粒子密度が低下しても、コントラストの低下を防ぐことができる。
【００１８】
［５］前記第２の基板は、少なくとも前記データ電極間に対応する部分が前記全面同一色と同一の色を有することを特徴とする前記［３］に記載の画像表示装置。この構成によれば、データ電極間に対応する領域で粒子密度が低下する可能性が高いが、その領域に対応する第２の基板の部分が第１の表示モードの表示色と同一色であるので、データ電極間で粒子密度が低下して第２の基板の色が見えても、コントラストの低下を防ぐことができる。
【００１９】
［６］前記第２の基板は、前記全面同一色と同一の色を全体的に有することを特徴とする前記［１］に記載の画像表示装置。この構成によれば、第２の基板の一部を他と異なる色とするよりも全体を同一色とする方が第２の基板の製造が容易となる。
【００２０】
［７］前記走査電極は、前記データ電極間に対応する領域の幅が他の部分よりも細いことを特徴とする前記［４］、［５］又は［６］に記載の画像表示装置。この構成によれば、データ電極間と走査電極間とが交差する領域が最も粒子密度が低下する可能性が高いが、その領域に対応する第２の基板の部分が第１の表示モードの表示色と同一色であるので、データ電極間と走査電極間とが交差する領域で粒子密度が低下しても、走査電極の幅を細くすることにより、透けて見える第２の基板側の粒子が少なくなり、第２の基板の色を表示することができるので、これにより、コントラストの低下を防ぐことができる。
【００２１】
［８］第１の電極を備えた透光性を有する第１の基板と、前記第１の基板と所定の間隔を設けて対向配置され、第２の電極を備えた第２の基板と、前記第１及び第２の基板間に封入され、第１の極性に帯電するとともに、第１の色を有する第１の粒子、及び前記第１の極性と反対の第２の極性に帯電するとともに、第２の色を有する第２の粒子からなる粒子群とを備えた画像表示装置において、全画素について、前記第１及び第２の電極間に所定の電圧を印加して前記第１の基板が側に前記第１または第２の粒子を移動させて前記第１または第２の色からなる全面同一色の画像を表示する第１のステップと、画像データに基づいて前記全面同一色と異なる色の画像を表示すべき画素のみについて、前記第１の電極に画像電圧を印加して前記第１の基板側に前記第２または第１の粒子を移動させる第２のステップとを含むことを特徴とする画像表示方法。
【００２２】
上記構成の画像表示方法によれば、第１の表示モードで全面同一色の画像を表示した後、第２の表示モードで全面同一色と異なる色の画像を表示すべき画素のみについて、第１の電極に画像電圧を印加することにより、第１の電極間の電位差が小さくなるので、第１の電極間に位置する粒子の移動が減り、第１の電極間の粒子密度の低下を防ぐことができる。
【発明の効果】
【００２３】
本発明によれば、第１の電極間の粒子密度の低下を防ぐことができるので、コントラストの低下を防止することができる。
【発明を実施するための最良の形態】
【００２４】
［第１の実施の形態］
（全体の構成）
図１は、本発明の第１の実施の形態に係る画像表示装置を示し、（ａ）は要部平面図、（ｂ）は（ａ）のＡ−Ａ線断面図である。なお、図１（ｂ）以外の図面では、電圧印加部、制御部、記憶部は省略してある。
【００２５】
この画像表示装置１は、図１（ｂ）に示すように、画像を表示する画像表示媒体２と、画像表示媒体２に電圧を印加する電圧印加部５と、画像表示媒体２に表示する画像データを記憶する記憶部７と、記憶部７に記憶されている画像データに基づいて電圧印加部５を制御する制御部６とから概略構成されている。
【００２６】
画像表示媒体２は、透光性を有する第１の基板としての表面基板３と、第２の基板としての背面基板４と、表面基板３と背面基板４とを対向させて保持するとともに、両基板３、４間の空間を区画して複数のセル９を形成するリブ８と、セル９に封入された色が異なり、正に帯電した黒色粒子１０Ａおよび、負に帯電した白色粒子１０Ｂとからなる２種類の粒子群とを有して構成されている。また、この画像表示媒体２は、画像の書き換えが可能で、無電源で表示画像を保持可能となっている。
【００２７】
記憶部７は、ＨＤＤ等により構成され、画像表示媒体２に表示するための画像データを記憶している。なお、画像データは、ＣＤ−ＲＯＭ等の記録媒体やネットワークを介して記憶部７に取り込んでもよい。
【００２８】
表面基板３は、透明ガラス基板等からなる表面支持基板３０と、表面支持基板３０上に形成されたインジウム錫酸化物（ＩＴＯ）等からなる透明な複数の帯状のデータ電極としての列電極３１（３１Ａ〜３１Ｃ）と、列電極３１を保護するとともに粒子１０Ａ、１０Ｂの帯電特性を安定化させるポリカーボネート等からなる誘電体膜３２とを積層して構成されている。
【００２９】
表面支持基板３０は、上記透明ガラス基板の他に、ＰＥＴ（ポリエチレンテレフタレート）、ＰＣ（ポリカーボネート）、アクリル等の透明樹脂フィルム又は透明樹脂シートを用いることができ、さらに半透明又は有色透明の基板を用いることができる。
【００３０】
列電極３１には、上記ＩＴＯの他に、透光性を有する、インジリウム、錫、カドミニウム、アンチモン等の酸化物、およびこれらの複合酸化物、金、銀、銅、炭素、ニッケル等の単層膜、混合膜、または複合膜を、蒸着法またはスパッタリング法で１００〜２０００オングストロームの厚さとしたもの、またはポリピロール、ポリチオフェン等の有機導電性材料等を用いることができる。
【００３１】
誘電体膜３２には、上記ポリカーボネートの他に、ポリエステル、ポリイミド、エポキシ、ポリイソシアネート、ポリアミド、ポリビニルアルコール、ポリブタジエン、ポリメチルメタクリレート、共重合ナイロン、紫外線硬化アクリル樹脂、非晶質テフロン（登録商標）等を用いることができる。
【００３２】
背面基板４は、エポキシ樹脂等からなる背面支持基板４０と、背面支持基板４０上に形成された銅等からなり、列電極３１と直交する複数の帯状の走査電極としての行電極４１（４１Ａ〜４１Ｃ）と、行電極４１を保護するとともに粒子１０Ａ、１０Ｂの帯電特性を安定化させるポリカーボネート等からなる誘電体膜４２とを積層して構成されている。なお、背面支持基板４０として、表面基板３の表面支持基板３０と同様の基板を用いてもよい。誘電体膜４２には、表面基板３の誘電体膜３２と同様に、セル９に封入する粒子１０Ａ、１０Ｂの帯電特性に応じた材料を用いることができる。
【００３３】
電圧印加部５は、交番電圧を発生する交番電圧発生回路と、直流電圧を発生する直流電圧発生回路とを備え、制御部６の制御により、行電極４１に順次選択電圧を印加するとともに、その選択のタイミングに同期して列電極３１に画像データに応じた画像電圧を印加するという、単純マトリックス駆動（パッシブ・マトリックス駆動）によって電極３１、４１を駆動する。
【００３４】
リブ８は、樹脂等の絶縁性材料からなり、フォトリソグラフィ法または印刷法等によって形成することができる。なお、図１（ａ）では、セル９を１つ示すが、実際は複数のセル９がマトリックス状に配列されている。また、本実施の形態では、１つのセル９が９個の画素を含む。ここで、１画素とは、列電極３１と行電極４１の交差する領域をいう。
【００３５】
黒色粒子１０Ａは、カーボンブラック、マンガンンフェライトブラック、チタンブラック、磁性粉、オイルブラック等有機、無機系の染・顔料系の黒色顔料を含む粒子を用いることができる。白色粒子１０Ｂは、酸化亜鉛、酸化スズ、ルチル型酸化チタン、アナターゼ型酸化チタン、亜鉛華、鉛白、硫化亜鉛、酸化アルミニウム、酸化珪素、酸化ジルコニウム等の白色顔料を含む粒子を用いることができる。黒粒子１０Ａと白粒子１０Ｂを重量比白：黒＝１：１で混合しミキサーで１０分間攪拌して得られた混合粒子を用いる。
【００３６】
制御部６は、ＣＰＵ、ＲＯＭ、ＲＡＭ、ＨＤＤ等を有して構成され、ＣＰＵは、ＲＯＭやＨＤＤ等に記憶されているプログラムにしたがい、画像書き込み時に画像表示媒体２への書込制御を行う。すなわち、制御部６は、全画素について、電極３１、４１間に交番電圧を印加して表面基板３側に黒色粒子１０Ａを移動させて全面黒色画像を表示するように電圧印加部５を制御する第１の表示モードと、画像データに基づいて白画像を表示すべき画素のみについて、列電極に画像電圧を印加して表面基板３側に白色粒子１０Ｂを移動させるように電圧印加部５を制御する第２の表示モードとを有する。
【００３７】
（第１の実施の形態の画像表示装置の動作）
次に、第１の実施の形態の画像表示装置１の動作を説明する。
【００３８】
（１）第１の表示モード（全面黒画像の表示）
初期化を行う場合は、電圧印加部５は、制御部６の制御により、交番電圧発生回路から各行電極４１に所定の周期（例えば、４００Ｈｚ）の交番電圧（例えば、±２８０Ｖ）を所定の時間（例えば、１ｓ）印加するとともに、これとは逆位相の交番電圧（例えば、±２８０Ｖ）を各列電極３１に所定の時間（例えば、１ｓ）印加する。黒色粒子１０Ａおよび白色粒子１０Ｂは、表面基板３と背面基板４間を往復運動し、黒色粒子１０Ａと白色粒子１０Ｂが相互に摩擦して安定した帯電特性が得られる。
【００３９】
また、交番電圧の最終パルスとして、直流電圧発生回路から各行電極４１に選択電圧（例えば、０Ｖ）を印加するとともに、列電極３１に負の画像電圧（例えば、−１４０Ｖ）を所定の時間（例えば、３０ｍｓ）印加する。正に帯電した黒色粒子１０Ａは、負の電圧が印加された列電極３１側に移動して表面基板３の内面に付着し、負に帯電した白色粒子１０Ｂは、選択電圧（例えば、０Ｖ）が印加された行電極４１側に移動して背面基板４の内面に付着し、図１（ｂ）に示すように、全面黒画像が表面基板３を通して表示される。
【００４０】
（２）第２の表示モード（白黒画像の表示）
図２は、画像表示装置の第２の表示モードにおける白黒画像の表示状態を示す要部断面図である。
【００４１】
制御部６は、画像記憶部６に記憶されている画像データに基づいて電圧印加部５を制御する。電圧印加部５は、制御部６の制御により、直流電圧発生回路から各行電極４１に選択電圧（例えば、０Ｖ）を順次印加し、各列電極３１に画像データに基づいて、白表示すべき画素のみに、正の画像電圧（例えば、＋１４０Ｖ）を所定の時間（例えば、３０ｍｓ）印加する。列電極３１に正の電圧が印加された領域（画素）では、負に帯電した白色粒子１０Ｂは、正の電圧が印加された列電極３１側に移動して表面基板３の内面に付着し、正に帯電した黒色粒子１０Ａは、選択電圧（例えば、０Ｖ）が印加された行電極４１側に移動して背面基板４の内面に付着する。
【００４２】
例えば、図２に示すように、行電極４１に０Ｖ、中央の列電極３１Ｂに＋１４０Ｖ、両側の列電極３１Ａ、３１Ｃに０Ｖを印加した場合、中央の列電極３１Ｂ側に位置していた黒色粒子１０Ａとその下側の行電極４１側に位置していた白色粒子１０Ｂが互いに移動する。
【００４３】
一方、隣接する列電極３１間の電位差は１４０Ｖ、中央の列電極３１Ｂと行電極４１との間の電位差も同じ１４０Ｖであるので、列電極３１Ａ、３１Ｃに画像電圧が印加されなかった領域、および隣接する列電極３１間では、正に帯電した黒色粒子１０Ａが表面基板３の内面に付着している状態を保つ。このようにして、図２に示すように、白黒画像が表面基板３を通して表示される。また、列電極３１間は表面基板３の内面に黒粒子１０Ａが付着したままなので、背面側の白色粒子１０Ｂが透けて見えることもない。
【００４４】
なお、電極３１、４１間への電圧の印加を停止しても、粒子１０Ａ、１０Ｂと誘電体膜３２、４２との間の静電付着力が維持されるため、粒子１０Ａ、１０Ｂは基板３、４の内面に付着したまま保持され、長時間に渡り白黒画像が表示される。
【００４５】
（第１の実施の形態の効果）
この第１の実施の形態によれば、全面黒画像を書き込んだ後、必要な画素のみを白画像に切り換えて白黒画像を表示しているので、列電極３１間の粒子密度の低下を防げ、背面基板４側の粒子が透けて見えないため、コントラストの低下を防止することができる。
【００４６】
［第２の実施の形態］
図３は、本発明の第２の実施の形態に係る画像表示媒体の要部平面図である。本実施の形態は、列電極３１間と、行電極４１間との交差する領域に対応する背面基板４の背面支持基板４０の部分を黒色部４０ｂとしたものである。その他の構成及び動作は、上記第１の実施の形態と同様であるので、その説明を省略する。
【００４７】
この第２の実施の形態によれば、表面基板３側の列電極３１間と背面基板４側の行電極４１間が交差する領域で粒子の抜けが生じて背面基板４が透けて見えても、背面基板４の黒色が見えるので、上記第１の実施の形態よりもコントラストの低下を防止することができる。
【００４８】
［第３の実施の形態］
図４は、本発明の第３の実施の形態に係る画像表示媒体の要部断面図である。本実施の形態は、列電極３１間の領域に対応する背面基板４の背面支持基板４０の部分を列電極３１に平行に黒色部４０ｂとしたものである。その他の構成及び動作は、上記第１の実施の形態と同様であるので、その説明を省略する。
【００４９】
この第３の実施の形態によれば、表面基板３側の列電極３１間で粒子の抜けが生じて背面基板４が透けて見えても、背面基板４の黒色が見えるので、上記第１の実施の形態よりもコントラストの低下を防止することができる。
【００５０】
［第４の実施の形態］
図５は、本発明の第４の実施の形態に係る画像表示媒体の要部断面図である。本実施の形態は、背面基板４の背面支持基板４０全体を黒色粒子１０Ａと同じ黒色としたものである。その他の構成及び動作は、上記第１の実施の形態と同様であるので、その説明を省略する。
【００５１】
この第４の実施の形態によれば、表面基板２側の列電極３１間で粒子の抜けが生じて背面基板４が透けて見えても、黒色の背面基板４が見えるため、上記第１の実施の形態よりもコントラストの低下を防止することができる。
【００５２】
なお、第２乃至第４の実施の形態では、背面基板４の背面支持基板４０の一部あるいあ全体を黒色としたが、誘電体膜４２を黒色としてもよい。
【００５３】
［第５の実施の形態］
図６は、本発明の第５の実施の形態に係る画像表示媒体の要部平面図である。本実施の形態は、背面基板４の行電極４１を、表面基板３側の列電極３１間に対応する部分に他の部分よりも幅を細くした細幅部４１ａを形成したものである。その他の構成及び動作は上記第１の実施の形態と同様であるので、その説明を省略する。
【００５４】
この第５の実施の形態によれば、列電極３１間から透けて見える白色粒子１０Ｂが少なくなるので、第１の実施の形態よりもコントラストの低下を防止することができる。  
【００５５】
［他の実施の形態］
なお、本発明は、上記各実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【００５６】
上記各実施の形態では、空間で移動する粒子により画像を表示する画像表示媒体について説明したが、本発明は、液体中で移動する粒子により画像を表示する他の画像表示媒体みも適用することができる。
【００５７】
上記各実施の形態では、白粒子及び黒粒子による画像表示について説明したが、本発明は、赤白、赤黒、青白等、あるいは明度の異なる２種類の粒子による画像表示にも適用することができる。
【００５８】
上記各実施の形態では、全面黒画像を書き込んだ後、必要な画素のみを白画像に切り換えたが、これとは逆に、全面白画像を書き込んだ後、必要な画素のみを黒画像に切り換えてもよい。
【図面の簡単な説明】
【００５９】
【図１】本発明の第１の実施の形態に係る画像表示装置を示し、（ａ）は要部平面図、（ｂ）は（ａ）のＡ−Ａ線断面図である。
【図２】本発明の第１の実施の形態に係る画像表示装置の第２の表示モードにおける白黒画像の表示状態を示す要部断面図である。
【図３】本発明の第２の実施の形態に係る画像表示媒体の要部平面図である。
【図４】本発明の第３の実施の形態に係る画像表示媒体の要部断面図である。
【図５】本発明の第４の実施の形態に係る画像表示媒体の要部断面図である。
【図６】本発明の第５の実施の形態に係る画像表示媒体の要部平面図である。
【図７】従来の画像表示装置の問題点を説明するための電圧印加方法の一例を示し、（ａ）は全面黒画像の表示状態を示す断面図、（ｂ）は白黒画像の表示状態を示す断面図、（ｃ）は平面図である。
【符号の説明】
【００６０】
１  画像表示装置
２  画像表示媒体
３  表面基板
４  背面基板
５  電圧印加部
６  制御部
７  記憶部
８  リブ
９  セル
１０Ａ  黒色粒子
１０Ｂ  白色粒子
１１  全面電極
１２  画素電極
１３  スルーホール
１４  導電パターン
３０  表面支持基板
３１  列電極
３２  誘電体膜
４０  背面支持基板
４０ａ  黒色部
４１  行電極
４１ａ  細幅部
４２  誘電体膜
【図１】
2007279326.tif 000003
【図２】
2007279326.tif 000004
【図３】
2007279326.tif 000005
【図４】
2007279326.tif 000006
【図５】
2007279326.tif 000007
【図６】
2007279326.tif 000008
【図７】
2007279326.tif 000009